(57)【要約】【課題】自動で開閉する機能を有するすだれの自動巻き戻し構造を提供する。【解決手段】パイプ１の内部には第一滑車１７と錘１８とが設けられている。レール２が設けられている。すだれ１３は複数本の紐１４をもって水平に通され、かつ各紐１４の一端はパイプ１に通されると同時に第一滑車１７を廻り、更に各紐１４の端部は錘１８に縛りつけられ、すだれ１３の一側は立柱１６に固定されている。すだれ１３の上端には複数個の第二滑車１２が設置され、かつそれら第二滑車１２はレール２に組み付けられている。取っ手１１を握って、すだれ１３が引き動かされると、各シートが展開され、すだれは閉められる。すだれ１３に力が施されないと、パイプ１内部の錘１８の重さにより各紐１４は引かれて、パイプ１は立柱１６の方向に引き動かされ、すだれ１３は開く。【選択図】　　図３
0003097227.tif 000002
【実用新案登録請求の範囲】
【請求項１】
すだれの自動巻き戻し構造であって、
パイプの内部に第一滑車と錘とが設けられ、
レールを備え、
すだれは複数本の紐をもって水平に通され、かつ各紐の一端は前記パイプに通されると共に前記第一滑車を掛けられ、各紐の端部は前記錘に縛りつけられ、すだれの一側は立柱に固定され、前記すだれの上端には複数個の第二滑車が設置され、かつそれら第二滑車は前記レールに組み付けられていることを特徴とするすだれの自動巻き戻し構造。
【請求項２】
すだれは、複数のシート状部材から構成された互いに折り畳み可能なよろい戸式構造であることを特徴とする請求項１記載のすだれの自動巻き戻し構造。
【請求項３】
パイプの外側壁には、取っ手が設けられていることを特徴とする請求項１記載のすだれの自動巻き戻し構造。
【考案の詳細な説明】
【０００１】
【考案の属する技術分野】
本考案は、すだれの自動巻き戻し構造に関する。
【０００２】
【従来の技術】
一般のよろい戸式すだれは、主として簡単な仕切りに使われ、例えば、住屋の独立空間が不足した場合、すだれを利用して若干小さい空間に仕分けし、睡眠、簡単な仕事部屋または勉強部屋等に使われる。または、一部の人がやや大きい居住空間で冷房を使用する場合、電力の節約と冷房効果を高めるため、すだれを利用して大きい空間をやや小さい空間に囲み、短時間で冷たい空気を小さな空間に散布するようにする。このほか、すだれは日よけにも使われ、それは仕切り窓に取り付けられて強い日差しを遮蔽することができる。ところが、伝統的すだれを開けるまたは閉める場合、充分な人間の力によって行わなければならず、いかなる省力的構造設計もないので、本考案は伝統的よろい戸式すだれに省力的操作効果がない欠陥に対して設計されたものである。
【０００３】
【考案が解決しようとする課題】
本考案が解決する第一の問題は、伝統的すだれに省力的操作効果がない欠陥を解決するために設計されたものである。
【０００４】
【課題を解決するための手段】
本考案は、すだれの自動巻き戻し構造であって、パイプの内部に第一滑車と錘とが設けられ、レールを備え、すだれは複数本の紐をもって水平に通され、かつ各紐の一端は前記パイプに通されると共に前記第一滑車を掛けられ、各紐の端部は前記錘に縛りつけられ、すだれの一側は立柱に固定され、前記すだれの上端には複数個の第二滑車が設置され、かつそれら第二滑車は前記レールに組み付けられていることを特徴とする。すだれが開けられるまたは閉められる場合、電気を使わないで自動的に閉めるまたは開ける機能があるようになる。
本考案は、すだれは複数枚の形態にしてもよく、または、撓み性のある布地から作られてもよい。
【０００５】
【考案の実施の形態】
図１と図３は同時に本考案の一実施例を示したものであり、それにはレール２とすだれ１３とが含まれる。すだれ１３の一垂直辺には中空のパイプ１が結合され、すだれ１３の別の垂直辺には複数の面ファスナー１５または両面接着テープ等部材が設けられ、それら面ファスナー１５によって立柱１６に貼り付けられることができ、立柱１６はすだれ１３の一垂直辺に固定される。前記すだれ１３は複数枚のシート状のものから折り畳み可能な形態に構成されてもよく、すだれ１３の各シートの相対位置には水平に排列される複数列の孔１３１が設置され、前記各水平に排列された孔１３１には共同して紐１４が通されて各シートを連結し、そのため、共同して複数本の水平の紐が含まれ、最後は紐１４の端部がもっとも外側のシートに固定される。前記各紐１４は前記パイプ１の側壁に設けられている孔からパイプ１の内部に通される。パイプ１内部の上側には自由に回転できる第一滑車としての滑車１７が設置され、前記各紐１４がパイプ１内に通されると、共同して滑車１７を廻り、それから、紐１４の端部は共同して錘１８に固定され、錘１８の重さによって各紐１４は滑車１７に引っ張りつけられる。パイプ１の外側壁にはほかに取っ手１１が設置されている。すだれ１３の上端には適当な間隔をもって分布する複数個の連結部材１２１が設置され、各連結部材１２１の相対両側には第二滑車としてのローラ１２が枢設され、ローラ１２は連結部材１２１と相対して回転することができる。
【０００６】
前記レール２は中空の棒であり、レール２の内部には下側に対称した両側の水平板２１があり、それによってすだれ１３の上端に設けられている各ローラ１２はレール２内に組み付けられることができ、かつ両側のローラ１２は両側の水平板２１と接触し、ローラ１２は水平板２１上で回転することができる（図５に示す如く）。
【０００７】
本実施例の設計により、使用者はレール２を壁または他のものに固定し、更に、すだれ１３上端の各ローラ１２をレール２内に組み付ける。それを操作する場合、取っ手１１を握って、すだれ１３を引き動かし、各シートが展開され、すだれは閉められる。（図１と図３に示す如く）。長さが固定されている紐１４は各展開されたシートに引き動かされるので、錘１８は上へ引っ張られて位置エネルギーを貯蔵し、かつパイプ１に設けられている可動鍵または磁石（図面には示されていない）によって垂直骨枠に設けられている固定鍵または磁石に組み付けられ、すだれ１３は閉の状態で固定される。鍵を解除し、または、磁石を離してすだれ１３に力が施されないと、パイプ１内部の錘１８の重さにより同時に各紐１４は引かれて、パイプ１は立柱１６の方向に引き動かされ、すだれの各シートは元の位置に巻き戻され、すだれは開く（図２および図４に示す如く）。
【図面の簡単な説明】
【図１】本考案の一実施例によるすだれの自動巻き戻し構造のすだれが閉められた状態を示す斜視図である。
【図２】本考案の一実施例によるすだれの自動巻き戻し構造のすだれが開けられた状態を示す斜視図である。
【図３】本考案の一実施例によるすだれの自動巻き戻し構造の錘が上に引き上げられた状態を示す平面断面図である。
【図４】本考案の一実施例によるすだれの自動巻き戻し構造のすだれを閉める状態を示す平面断面図である。
【図５】本考案の一実施例によるすだれの自動巻き戻し構造のローラおよびレールを示す模式図である。
【符号の説明】
１　　パイプ
２　　レール
１１　　取っ手
１２　　ローラ
１３　　すだれ
１４　　紐
１５　　面ファスナー
１６　　立柱
１７　　滑車
１８　　錘
２１　　水平板
１２１　　連結部材
１３１　　孔
【図１】
0003097227.tif 000003
【図２】
0003097227.tif 000004
【図３】
0003097227.tif 000005
【図４】
0003097227.tif 000006
【図５】
0003097227.tif 000007